(57)【要約】【課題】例えば、物品を買い取る替場において、消費税の変動などの事情に適合して、物品の買い取り、それに対応する代金の支払い、データ集計などを自動的に行うことができる物品買取装置、物品買取方法および物品買取システムを提供することを目的とする。【解決手段】物品買取装置１０は、ソータ部１００と、ＣＤＰＯＳ部２００とから主に構成されている。ソータ部１００とＣＤＰＯＳ部２００とは通信用および電源供給用のケーブル３００によって連結され、それぞれの間で情報の交信を行う。ＣＤＰＯＳ部２００の正面には、特殊景品Ｐに対応した買取価格、消費税、手数料等の計算要素、特殊景品Ｐに対応した転売価格等を入力するテンキーボード２０８、表示部２０９が設けられ、特殊景品の買取価格を消費税や手数料等を含んだ価格に設定することができる。【選択図】図３
2006312093.tif 000002
【特許請求の範囲】
【請求項１】
特殊景品を受け入れる受入手段と、
受け入れられた前記特殊景品の種類を識別し、識別した特殊景品数を計数して景品情報を読み取る景品読取手段と、
少なくとも計算要素の１つである特殊景品の種類毎に決められた変更可能な買取価格を読み出す計算要素読出手段と、
少なくとも前記特殊景品数と前記買取価格に基づいて、前記特殊景品数と特殊景品の種類毎に決められた基準買取価格とに基づいて算出された価格と異なる実買取価格を算出可能な買取価格算出手段と、
少なくとも前記買取価格算出手段によって算出された実買取価格を表示する買取価格表示手段と、
買い取った前記各特殊景品に対応して設定される転売消費税および転売手数料のうち少なくとも一方と、買い取った前記各特殊景品に対応した転売価格とを計算要素として読み出し、少なくとも該転売消費税および転売手数料のうち少なくとも一方と該転売価格とにより実転売価格を算出する転売価格算出手段と
を具備することを特徴とする物品買取装置。
【請求項２】
特殊景品の種類毎に特殊景品数を受け付ける特殊景品数受付手段と、
少なくとも計算要素の１つである特殊景品の種類毎に決められた変更可能な買取価格を読み出す計算要素読出手段と、
少なくとも前記特殊景品数と前記買取価格に基づいて、前記特殊景品数と特殊景品の種類毎に決められた基準買取価格とに基づいて算出された価格と異なる実買取価格を算出可能な買取価格算出手段と、
少なくとも前記買取価格算出手段によって算出された実買取価格情報を表示する買取価格表示手段と、
買い取った前記各特殊景品に対応して設定される転売消費税および転売手数料のうち少なくとも一方と、買い取った前記各特殊景品に対応した転売価格とを計算要素として読み出し、少なくとも該転売消費税および転売手数料のうち少なくとも一方と該転売価格とにより実転売価格を算出する転売価格算出手段と
を具備することを特徴とする物品買取装置。
【請求項３】
前記買取価格算出手段によって算出された実買取価格に対応する現金を支払う現金支払手段をさらに具備したことを特徴とする請求項１または２記載の物品買取装置。
【請求項４】
前記実買取価格および／または前記実買取価格を算出するための計算要素と、前記実転売価格および／または前記実転売価格を算出するための計算要素とから損益を算出し、該算出した損益を出力可能な損益算出手段をさらに具備したことを特徴とする請求項１乃至３のいずれか１項記載の物品買取装置。
【請求項５】
前記損益を集計し、該集計した情報を出力可能な損益集計手段をさらに具備したことを特徴とする請求項４記載の物品買取装置。
【請求項６】
前記損益の履歴情報を記録し、該記録した履歴情報を出力可能な履歴情報出力手段をさらに具備したことを特徴とする請求項４または５記載の物品買取装置。
【請求項７】
前記現金支払手段が第１の筐体に設けられ、前記受入手段および前記景品読取手段とが前記第１の筐体とは別体で前記第１の筐体と通信可能に接続された第２の筐体に設けられたことを特徴とする請求項３記載の物品買取装置。
【請求項８】
特殊景品を受け入れる受入ステップと、
前記受け入れられた特殊景品の種類を識別し、識別した特殊景品数を計数して景品情報を読み取る景品読取ステップと、
少なくとも計算要素の１つである特殊景品の種類毎に決められた変更可能な買取価格を読み出す計算要素読出ステップと、
少なくとも前記特殊景品数と前記買取価格に基づいて、前記特殊景品数と特殊景品の種類毎に決められた基準買取価格とに基づいて算出された価格と異なる実買取価格を算出可能な買取価格算出ステップと、
少なくとも前記買取価格算出ステップによって算出された実買取価格情報を表示する買取価格表示ステップと、
買い取った前記各特殊景品に対応して設定される転売消費税および転売手数料のうち少なくとも一方と、買い取った前記各特殊景品に対応した転売価格とを計算要素としてさらに前記計算要素読出ステップで読み出し可能とし、少なくとも該転売消費税および転売手数料のうち少なくとも一方と該転売価格とにより実転売価格を算出する転売価格算出ステップと
を具備することを特徴とする物品買取方法。
【請求項９】
特殊景品の種類毎に特殊景品数を受け付ける特殊景品数受付ステップと、
少なくとも計算要素の１つである特殊景品の種類毎に決められた変更可能な買取価格を読み出す計算要素読出ステップと、
少なくとも前記特殊景品数と前記買取価格に基づいて、前記特殊景品数と特殊景品の種類毎に決められた基準買取価格とに基づいて算出された価格と異なる実買取価格を算出可能な買取価格算出ステップと、
少なくとも前記買取価格算出ステップによって算出された実買取価格情報を表示する買取価格表示ステップと、
買い取った前記各特殊景品に対応して設定される転売消費税および転売手数料のうち少なくとも一方と、買い取った前記各特殊景品に対応した転売価格とを計算要素としてさらに前記計算要素読出ステップで読み出し可能とし、少なくとも該転売消費税および転売手数料のうち少なくとも一方と該転売価格とにより実転売価格を算出する転売価格算出ステップと
を具備することを特徴とする物品買取方法。
【請求項１０】
前記買取価格算出ステップによって算出された実買取価格に対応する現金を支払う現金支払ステップをさらに具備したことを特徴とする請求項８または９記載の物品買取方法。
【請求項１１】
前記実買取価格および／または前記実買取価格を算出するための計算要素と、前記実転売価格および／または前記実転売価格を算出するための計算要素とから損益を算出し、該算出した損益を出力可能な損益算出ステップをさらに具備したことを特徴とする請求項８乃至１０のいずれか１項記載の物品買取方法。
【請求項１２】
前記損益を集計し、該集計した情報を出力可能な損益集計ステップをさらに具備したことを特徴とする請求項１１記載の物品買取方法。
【請求項１３】
前記損益の履歴情報を記録し、該記録した履歴情報を出力可能な履歴情報出力ステップをさらに具備したことを特徴とする請求項１１または１２記載の物品買取方法。
【請求項１４】
特殊景品を受け入れる受入手段と、
受け入れられた前記特殊景品の種類を識別し、識別した特殊景品数を計数して景品情報を読み取る景品読取手段と、
少なくとも特殊景品の種類毎に決められた変更可能な買取価格、買い取った前記各特殊景品に対応して設定される転売消費税および転売手数料のうち少なくとも一方、買い取った前記各特殊景品に対応した転売価格を計算要素として読み出す計算要素読出手段と、
少なくとも前記特殊景品数と前記買取価格に基づいて、前記特殊景品数と特殊景品の種類毎に決められた基準買取価格とに基づいて算出された価格と異なる実買取価格を算出可能な買取価格算出手段と、
少なくとも前記買取価格算出手段によって算出された実買取価格を表示する買取価格表示手段と、
前記買取価格算出手段によって算出された実買取価格に対応する現金を支払う現金支払手段と、
少なくとも前記転売消費税および前記転売手数料のうち少なくとも一方と、前記転売価格とから実転売価格を算出する転売価格算出手段と、
前記実買取価格、前記実転売価格および前記計算要素のうち少なくとも１つを集計する集計手段と
を備える物品買取装置と、
情報管理装置と
を具備し、前記物品買取装置と前記情報管理装置とがそれぞれ通信可能に接続された物品買取システムであって、
前記情報管理装置が、
前記集計手段で集計された情報を管理する情報管理手段を具備することを特徴とする物品買取システム。
【請求項１５】
特殊景品の種類毎に特殊景品数を受け付ける特殊景品数受付手段と、
少なくとも特殊景品の種類毎に決められた買取価格、買い取った前記各特殊景品に対応して設定される転売消費税および転売手数料のうち少なくとも一方、買い取った前記各特殊景品に対応した転売価格を計算要素として読み出す計算要素読出手段と、
少なくとも前記特殊景品数と前記買取価格に基づいて、前記特殊景品数と特殊景品の種類毎に決められた基準買取価格とに基づいて算出された価格と異なる実買取価格を算出可能な買取価格算出手段と、
少なくとも前記買取価格算出手段によって算出された実買取価格を表示する買取価格表示手段と、
前記買取価格算出手段によって算出された実買取価格に対応する現金を支払う現金支払手段と、
少なくとも前記転売消費税および前記転売手数料のうち少なくとも一方と、前記転売価格とから実転売価格を算出する転売価格算出手段と、
前記実買取価格、前記実転売価格および前記計算要素のうち少なくとも１つを集計する集計手段と
を備える物品買取装置と、
情報管理装置と
を具備し、前記物品買取装置と前記情報管理装置とがそれぞれ通信可能に接続された物品買取システムであって、
前記情報管理装置が、
前記集計手段で集計された情報を管理する情報管理手段を具備することを特徴とする物品買取システム。
【発明の詳細な説明】
【技術分野】
【０００１】
本発明は、特殊景品の物品買取装置、物品買取方法および物品買取システムに係り、特に遊技ホール、例えばパチンコ店において使用される特殊景品を景品交換所で買い取る際に使用される特殊景品の物品買取装置、物品買取方法および物品買取システムに関する。
【背景技術】
【０００２】
遊技ホール、例えばパチンコ店では、客がパチンコ機でパチンコ玉を獲得したり、スロットマシーンでコインを獲得したとき、この種の獲得パチンコ玉や獲得コインをそれらの数に対応させて特殊景品に交換するサービスを行っている。そして、このような特殊景品を替場、いわゆる景品交換所に持って行くと、特殊景品と引き換えに特殊景品相当の現金が景品持参者に対して支払われる。
【０００３】
また、このようにして景品交換所に収集された特殊景品は、遊技ホールに返送され、その際、遊技ホールは、返送されてきた特殊景品相当の現金を景品交換所に支払っている。また、景品交換所に収集された特殊景品は、特殊景品問屋を介して遊技ホールに返送される場合もある。この場合には、収集された特殊景品は、替場から特殊景品問屋に売られ、その後、特殊景品問屋から遊技ホールに売られる。このように、特殊景品は、景品持参者と替場との間、替場と遊技ホールまたは特殊景品問屋との間で売買される。
【０００４】
このような特殊景品の売買には、消費税が発生するが、従来の特殊景品の買取装置や買取システムでは、消費税率を入力し設定して、その消費税に対応して払出しを行うことや、その消費税額を自動的に集計したり、その集計した情報を、例えば、情報管理センタなどに送信するようなものはなかった（例えば、特許文献１参照。）。また、この買取装置や買取システムでは、例えば、特殊景品の買取における手数料などを任意に設定したり、この手数料に対する消費税を自動的に集計したり、その集計した情報を、例えば、情報管理センタなどに送信するようなものはなかった。
【０００５】
そのため、例えば、遊技ホールでは特殊景品の替場における買取り額を低く設定して、その分で消費税を穴埋めすることがあった。また、三重県や九州の一部などの県における遊技ホールでは、消費税を景品持参者より徴収せず、替場において手数料と称して、その手数料分の金額を差し引いた金額を、景品持参者に対して支払うようにしていた。この場合、遊技ホールは、通常は別企業である替場に対して、特殊景品の仕入れ代金（例えば、５０００円）と、手数料（０．７５〜１％、例えば、５０円）と、消費税（例えば、内税方式の場合５０００円のうち２３８円）とを支払う。
【０００６】
また、替場で回収された特殊景品は、替場から遊技ホールに売却されるが、例えば、替場において景品持参者から消費税や手数料を徴収していないにもかかわらず、遊技ホールから替場に対しては、特殊景品に対応する金額（例えば、５０００円）が支払われるのみで、その消費税や手数料が支払われないことがあった。この場合、この５０００円に対する消費税２３８円（内税の場合）は、すべて納税しなければならず、替場において、遊技客に５０００円支払ってしまうと、その手数料および消費税分が赤字となってしまうので、替場の従業員は、少なくとも５０００円から２３８円を引いた金額を人為的に景品持参者に支払っている。
【０００７】
さらに、現在、消費税改正案が検討されており、いずれ消費税が改正されることは既定の事実であり、例えば、さらに消費税が上昇すると、遊技ホールから替場に対して消費税や手数料が支払われない場合には、替場の運営はさらに厳しくなる。
【０００８】
このような、遊技ホールが替場の担当企業を選択できるなど替場企業の立場が弱いことから生じる特殊景品転売時の消費税の不払いや支払額の不足に加え、現在、替場は各県毎の警察の指導方針にも従わなければならない。また、景品持参者から消費税の徴収を行わず、かつ、遊技ホールからの特殊景品転売時、消費税が不払いとなった場合、替場において、納税すべき消費税が捻出できないこともあった。
【０００９】
さらに、将来、例えば個人や売上３０００万円未満の非消費税納税義務条項の撤廃、地方への権限委譲に伴う地方消費税の新設といった消費税制変更が現在の国会の論議を鑑みるに予測することができる。
【００１０】
また、替場において、現在の物品買取装置や物品買取システムを用いて消費税や手数料を徴収する場合には、その消費税や手数料の計算、支払いは、替場の従業員によって人為的に行われ、さらに、替場における出金、消費税、手数料などの集計は、替場の従業員によって人為的に行われていた。
【特許文献１】特開平０８−３３６６５８号公報
【発明の開示】
【発明が解決しようとする課題】
【００１１】
上記したように、替場において、消費税や手数料を徴収して特殊景品の換金を行う際、従来の物品買取装置や物品買取システムでは、その消費税や手数料の計算、支払いは、替場の従業員によって人為的に行われ、さらに、替場における出金、消費税、手数料などの集計は、替場の従業員によって人為的に行われおり、換金工程を効率よく行うことができないという問題があった。
【００１２】
そこで本願では、上記した課題を解決するためになされたものであり、例えば、物品を買い取る替場において、県毎の警察指導事情、替場毎の異なる事情、将来の消費税率や消費税制の変更、将来の地方権限委譲に伴う地方毎の消費税率の変動に適合させて使用可能であり、物品の買い取り、それに対応する代金の支払い、データ集計などを自動的に行うことができる物品買取装置、物品買取方法および物品買取システムを提供することを目的とする。
【課題を解決するための手段】
【００１３】
上記目的を達成するために、請求項１記載の発明は、特殊景品を受け入れる受入手段と、受け入れられた前記特殊景品の種類を識別し、識別した特殊景品数を計数して景品情報を読み取る景品読取手段と、少なくとも計算要素の１つである特殊景品の種類毎に決められた変更可能な買取価格を読み出す計算要素読出手段と、少なくとも前記特殊景品数と前記買取価格に基づいて、前記特殊景品数と特殊景品の種類毎に決められた基準買取価格とに基づいて算出された価格と異なる実買取価格を算出可能な買取価格算出手段と、少なくとも前記買取価格算出手段によって算出された実買取価格を表示する買取価格表示手段と、買い取った前記各特殊景品に対応して設定される転売消費税および転売手数料のうち少なくとも一方と、買い取った前記各特殊景品に対応した転売価格とを計算要素として読み出し、少なくとも該転売消費税および転売手数料のうち少なくとも一方と該転売価格とにより実転売価格を算出する転売価格算出手段とを具備することを特徴とする物品買取装置である。
【００１４】
また、請求項８記載の発明は、特殊景品を受け入れる受入ステップと、前記受け入れられた特殊景品の種類を識別し、識別した特殊景品数を計数して景品情報を読み取る景品読取ステップと、少なくとも計算要素の１つである特殊景品の種類毎に決められた変更可能な買取価格を読み出す計算要素読出ステップと、少なくとも前記特殊景品数と前記買取価格に基づいて、前記特殊景品数と特殊景品の種類毎に決められた基準買取価格とに基づいて算出された価格と異なる実買取価格を算出可能な買取価格算出ステップと、少なくとも前記買取価格算出ステップによって算出された実買取価格情報を表示する買取価格表示ステップと、買い取った前記各特殊景品に対応して設定される転売消費税および転売手数料のうち少なくとも一方と、買い取った前記各特殊景品に対応した転売価格とを計算要素としてさらに前記計算要素読出ステップで読み出し可能とし、少なくとも該転売消費税および転売手数料のうち少なくとも一方と該転売価格とにより実転売価格を算出する転売価格算出ステップとを具備することを特徴とする物品買取方法である。
【００１５】
ここで、景品情報として、例えば、特殊景品毎に決められたいわゆる定価的な意の基準買取金額情報、買取価格情報、付与した日時情報、遊技ホール名情報、真贋判別のためのＩＤ情報、製造企業情報、製造日時情報、各流通先毎の受け入れ及び発送日時情報及び流通先名情報、などが例示できる。
【００１６】
また、請求項２記載の発明は、特殊景品の種類毎に特殊景品数を受け付ける特殊景品数受付手段と、少なくとも計算要素の１つである特殊景品の種類毎に決められた変更可能な買取価格を読み出す計算要素読出手段と、少なくとも前記特殊景品数と前記買取価格に基づいて、前記特殊景品数と特殊景品の種類毎に決められた基準買取価格とに基づいて算出された価格と異なる実買取価格を算出可能な買取価格算出手段と、少なくとも前記買取価格算出手段によって算出された実買取価格情報を表示する買取価格表示手段と、買い取った前記各特殊景品に対応して設定される転売消費税および転売手数料のうち少なくとも一方と、買い取った前記各特殊景品に対応した転売価格とを計算要素として読み出し、少なくとも該転売消費税および転売手数料のうち少なくとも一方と該転売価格とにより実転売価格を算出する転売価格算出手段とを具備することを特徴とする物品買取装置である。
【００１７】
また、請求項９記載の発明は、特殊景品の種類毎に特殊景品数を受け付ける特殊景品数受付ステップと、少なくとも計算要素の１つである特殊景品の種類毎に決められた変更可能な買取価格を読み出す計算要素読出ステップと、少なくとも前記特殊景品数と前記買取価格に基づいて、前記特殊景品数と特殊景品の種類毎に決められた基準買取価格とに基づいて算出された価格と異なる実買取価格を算出可能な買取価格算出ステップと、少なくとも前記買取価格算出ステップによって算出された実買取価格情報を表示する買取価格表示ステップと、買い取った前記各特殊景品に対応して設定される転売消費税および転売手数料のうち少なくとも一方と、買い取った前記各特殊景品に対応した転売価格とを計算要素としてさらに前記計算要素読出ステップで読み出し可能とし、少なくとも該転売消費税および転売手数料のうち少なくとも一方と該転売価格とにより実転売価格を算出する転売価格算出ステップとを具備することを特徴とする物品買取方法である。
【００１８】
これら請求項１、２、８および９記載の発明によれば、買取価格を任意に設定することができるので、例えば、その買取価格を消費税や手数料等を含んだ価格に設定することができる。また、その買取価格を任意に設定することができるので、例えば、県毎の警察指導事情、替場毎の異なる事情、将来の消費税率や消費税制の変更、将来の地方権限委譲に伴う地方毎の消費税率の変動に適合させて使用することができる。また、特殊景品を受け入れてから、設定された買取価格等に基づいて実買取価格を算出し、その実買取価格を表記することを自動的に行うことができるので、例えば、物品を買い取る替場において、人為的な作業を減らすことができ、替場における作業を効率よく迅速に行うことができる。
【００１９】
また、転売価格算出手段または転売価格算出ステップを設けることによって、読み出した転売消費税、転売手数料、転売価格等により実転売価格を算出するので、物品を買い取る替場では、例えば、替場と景品持参客との間、または、替場と遊技ホールとの間の特殊景品の売買に関する情報処理等を自動的に行うことができる。
【００２０】
ここで、基準買取価格とは、遊技ホールにて遊技媒体を所定の価格変換率で交換したときの価格に相当する価格であり、５０００円景品、３０００円景品、２５００円景品、１０００円景品と特殊景品の名称として用いる定価的な価格を言う。また、実買取価格は、例えば、景品持参者に替場から特殊景品代として支払われる支払金総額に相当する。そして、買取価格として、例えば、物品や本発明の物品買取装置およびその物品買取装置と通信可能に接続された情報管理装置などの少なくとも一つに記録された買取価格を読み出したもの、テンキーボードにて入力したデータを一時記録し、これを読み出したものが例示でき、基準買取価格と異なる値に設定して記録することができる。すなわち、従来任意に設定できなかった固定の基準買取価格を任意に設定することができる。
【００２１】
また、請求項３記載の発明は、買取価格算出手段によって算出された実買取価格に対応する現金を支払う現金支払手段をさらに具備したことを特徴とする請求項１または２記載の物品買取装置である。
【００２２】
また、請求項１０記載の発明は、前記買取価格算出ステップによって算出された実買取価格に対応する現金を支払う現金支払ステップをさらに具備したことを特徴とする請求項８または９記載の物品買取方法である。
【００２３】
これら請求項３、１０記載の発明によれば、請求項１、２、８および９記載の発明の作用効果に加えて、この現金支払手段または現金支払ステップを具備することで、現金の支払まで自動的に行うことができるので、例えば、物品を買い取る替場において、人為的な作業を減らすことができ、替場における作業をさらに効率よく迅速に行うことができる。
【００２４】
また、請求項４記載の発明は、前記実買取価格および／または前記実買取価格を算出するための計算要素と、前記実転売価格および／または前記実転売価格を算出するための計算要素とから損益を算出し、該算出した損益を出力可能な損益算出手段をさらに具備したことを特徴とする請求項１乃至３のいずれか１項記載の物品買取装置である。
【００２５】
また、請求項１１記載の発明は、前記実買取価格および／または前記実買取価格を算出するための計算要素と、前記実転売価格および／または前記実転売価格を算出するための計算要素とから損益を算出し、該算出した損益を出力可能な損益算出ステップをさらに具備したことを特徴とする請求項８乃至１０のいずれか１項記載の物品買取方法である。
【００２６】
これら請求項４、１１記載の発明によれば、請求項１乃至３および請求項８乃至１０のいずれか１項記載の発明の作用効果に加えて、この損益算出手段または損益算出ステップを設けることによって、人為的に損益を算出する手間を省くことができ、さらに、適確および迅速に集計を行うことができる。また、例えば、替場と景品持参客との間、または、替場と遊技ホールとの間の特殊景品の売買に関する情報に基づいて、替場における損益を随時参照することができる。
【００２７】
さらに、請求項５記載の発明は、前記損益を集計し、該集計した情報を出力可能な損益集計手段をさらに具備したことを特徴とする請求項４記載の物品買取装置である。
【００２８】
また、請求項１２記載の発明は、前記損益を集計し、該集計した情報を出力可能な損益集計ステップをさらに具備したことを特徴とする請求項１１記載の物品買取方法である。
【００２９】
これら請求項５、１２記載の発明によれば、請求項４、１１記載の発明の作用効果に加えて、損益集計手段または損益集計ステップを設けることによって、例えば、人為的に集計する手間を省くことができ、さらに、適確および迅速に集計を行うことができる。また、例えば、各替場における損益を随時参照することができる。
【００３０】
また、請求項６記載の発明は、前記損益の履歴情報を記録し、該記録した履歴情報を出力可能な履歴情報出力手段をさらに具備したことを特徴とする請求項４または５記載の物品買取装置である。
【００３１】
また、請求項１３記載の発明は、前記損益の履歴情報を記録し、該記録した履歴情報を出力可能な履歴情報出力ステップをさらに具備したことを特徴とする請求項１１または１２記載の物品買取方法である。
【００３２】
これら請求項６、１３記載の発明によれば、請求項４、５、１１および１２のいずれか１項記載の発明の作用効果に加えて、履歴情報出力手段または履歴情報出力ステップを設けることで、人為的に履歴情報を集計する手間を省くことができ、さらに、適確および迅速に集計を行うことができる。また、例えば、損益の履歴情報を記録して出力した場合には、随時損益情報を確認することができる。
【００３３】
また、請求項７記載の発明は、前記現金支払手段が第１の筐体に設けられ、前記受入手段および前記景品読取手段とが前記第１の筐体とは別体で前記第１の筐体と通信可能に接続された第２の筐体に設けられたことを特徴とする請求項３記載の物品買取装置である。
【００３４】
この発明によれば、請求項３記載の発明の作用効果に加えて、現金支払手段と、受入手段および景品読取手段とを別体としているので、例えば、現金を収容する現金支払手段を、替場等では従業員側に設置することで防犯対策となる。また、受入手段等を、例えば、景品持参客側に設置することで、景品持参客が特殊景品を受入手段に設置することができ、替場の業務効率が向上する。そしてしかも現金支払手段と受入手段および景品読取手段を全て１体とした場合と比べて、夫々別体とした現金支払手段と、受入手段および景品読取手段とをどちらか一方のみ販売するなど商圏を狭めることなく、狭い替場に合わせて空間を有効利用することができる。
【００３５】
また、請求項１４記載の発明は、特殊景品を受け入れる受入手段と、受け入れられた前記特殊景品の種類を識別し、識別した特殊景品数を計数して景品情報を読み取る景品読取手段と、少なくとも特殊景品の種類毎に決められた変更可能な買取価格、買い取った前記各特殊景品に対応して設定される転売消費税および転売手数料のうち少なくとも一方、買い取った前記各特殊景品に対応した転売価格を計算要素として読み出す計算要素読出手段と、少なくとも前記特殊景品数と前記買取価格に基づいて、前記特殊景品数と特殊景品の種類毎に決められた基準買取価格とに基づいて算出された価格と異なる実買取価格を算出可能な買取価格算出手段と、少なくとも前記買取価格算出手段によって算出された実買取価格を表示する買取価格表示手段と、前記買取価格算出手段によって算出された実買取価格に対応する現金を支払う現金支払手段と、少なくとも前記転売消費税および前記転売手数料のうち少なくとも一方と、前記転売価格とから実転売価格を算出する転売価格算出手段と、前記実買取価格、前記実転売価格および前記計算要素のうち少なくとも１つを集計する集計手段とを備える物品買取装置と、情報管理装置とを具備し、前記物品買取装置と前記情報管理装置とがそれぞれ通信可能に接続された物品買取システムであって、前記情報管理装置が、前記集計手段で集計された情報を管理する情報管理手段を具備することを特徴とする物品買取システムである。
【００３６】
また、請求項１５記載の発明は、特殊景品の種類毎に特殊景品数を受け付ける特殊景品数受付手段と、少なくとも特殊景品の種類毎に決められた買取価格、買い取った前記各特殊景品に対応して設定される転売消費税および転売手数料のうち少なくとも一方、買い取った前記各特殊景品に対応した転売価格を計算要素として読み出す計算要素読出手段と、少なくとも前記特殊景品数と前記買取価格に基づいて、前記特殊景品数と特殊景品の種類毎に決められた基準買取価格とに基づいて算出された価格と異なる実買取価格を算出可能な買取価格算出手段と、少なくとも前記買取価格算出手段によって算出された実買取価格を表示する買取価格表示手段と、前記買取価格算出手段によって算出された実買取価格に対応する現金を支払う現金支払手段と、少なくとも前記転売消費税および前記転売手数料のうち少なくとも一方と、前記転売価格とから実転売価格を算出する転売価格算出手段と、前記実買取価格、前記実転売価格および前記計算要素のうち少なくとも１つを集計する集計手段とを備える物品買取装置と、情報管理装置とを具備し、前記物品買取装置と前記情報管理装置とがそれぞれ通信可能に接続された物品買取システムであって、前記情報管理装置が、前記集計手段で集計された情報を管理する情報管理手段を具備することを特徴とする物品買取システムである。
【００３７】
これら請求項１４、１５記載の発明によれば、買取価格が変更可能であるので、例えば、その買取価格を消費税や手数料等を含んだ価格に設定することができる。また、その買取価格を任意に設定することができるので、また、その買取価格を任意に設定することができるので、例えば、県毎の警察指導事情、替場毎の異なる事情、将来の消費税率や消費税制の変更、将来の地方権限委譲に伴う地方毎の消費税率の変動に適合させて使用することができる。また、特殊景品を受け入れてから、設定された買取価格等に基づいて実買取価格を算出し、その実買取価格を表記することを自動的に行うことができるので、例えば、物品を買い取る替場において、人為的な作業を減らすことができ、替場における作業を効率よく迅速に行うことができる。
【００３８】
そして、転売価格算出手段を設けることによって、読み出した転売消費税、転売手数料、転売価格等により実転売価格を算出するので、物品を買い取る替場では、例えば、替場と景品持参客との間、または、替場と遊技ホールとの間の特殊景品の売買に関する情報処理等を自動的に行うことができる。
【００３９】
さらに、景品読取手段で読み取られた情報、計算要素読出手段に読み出された計算要素の情報、買取価格算出手段によって算出された実買取価格の情報、現金支払手段によって支払われた金額の情報、転売価格算出手段で算出された実転売価格等を情報管理装置で管理し、それらの情報を情報管理装置によって集計することができる。また、例えば、物品を買い取る各替場における各情報を集計し、各替場毎の情報を一覧することができる。そして景品読取手段で読み取られた情報、計算要素読出手段に読み出された計算要素の情報、買取価格算出手段によって算出された実買取価格の情報、現金支払手段によって支払われた金額の情報、転売価格算出手段で算出された実転売価格等の一覧表化できるので比較したり検討することができる。
【発明の効果】
【００４０】
本発明の物品買取装置、物品買取方法および物品買取システムによれば、例えば、物品を買い取る替場において、消費税の変動などの事情に適合して、物品の買い取り、それに対応する代金の支払い、データ集計などを自動的に行うことができる。
【発明を実施するための最良の形態】
【００４１】
以下、本発明の一実施の形態を、図面に基づいて説明する。
【００４２】
図１は、物品買取装置１０を備えた物品買取システム２０の概要を示している。
図１に示すように、物品買取装置１０は、ソータ部１００と、ＣＤＰＯＳ部（キャッシュディスペンサＰＯＳ部）２００とから主に構成される。また、ＣＤＰＯＳ部２００は、モデム３１０と接続され、このモデム３１０および公衆回線を介して物品買取装置１０からの情報が情報管理センタの情報管理装置３２０に出力される。ここで、ＣＤＰＯＳ部２００は、さらに、例えば、パーソナルコンピュータなどの外部機器３３０、情報を印刷する外部プリンタ３４０等を接続することができる。
【００４３】
一方、ソータ部１００は、例えば、景品持参客に対して景品総額、手数料、消費税、支払金総額（実買取価格）等を表示する外部表示機３５０と接続することができる。
【００４４】
ここで、替場（景品交換所）における物品買取装置１０の設置状態の一例を説明する。図２には、替場（景品交換所）における物品買取装置１０の設置状態の一例が示されている。
【００４５】
図２に示すように、替場は、通常、替場の従業員が入る替場従業員側Ａ１と景品持参客側Ａ２とに仕切り壁Ｂによって仕切られている。そして、替場従業員側Ａ１および景品持参客側Ａ２には、それぞれカウンタＣが設けられており、替場従業員側Ａ１のカウンタＣには、ソータ部１００と、ＣＤＰＯＳ部２００とで構成される物品買取装置１０が設置される。一方、景品持参客側Ａ２のカウンタＣには、例えば、外部表示機３５０が設置される。
【００４６】
開口窓Ｂ１は、替場従業員が景品持参客との間で特殊景品および現金の受け渡しを行う開口である。通常、替場従業員は、開口窓Ｂ１を介して特殊景品を受け取り、受け取った特殊景品を物品買取装置１０のソータ部１００の所定の位置に設置し物品買取装置１０を動作させ、ソータ部１００からの情報に基づいて、ＣＤＰＯＳ部２００から払出される紙幣および硬貨を開口窓Ｂ１を介して景品持参客に支払う。
【００４７】
また、図２には示していないが、混雑時等景品持参客に、例えば、特殊景品をソータ部１００の所定の位置に設置させるような買い取り処理の一部を行わせる際には、開口窓をさらに設け、ソータ部１００の特殊景品Ｐを受け入れる受入部１０１を景品持参客側Ａ２に突出させることもできる。
【００４８】
（物品買取装置１０）
次に、物品買取システム２０を構成する物品買取装置１０について、図を参照して説明する。
【００４９】
図３は、本発明の一実施形態における物品買取装置１０を示す斜視図である。また、図４には、物品買取装置１０を構成するソータ部１００の斜視図が示され、図５には、図４に示されたソータ部１００を図４に示した矢印方向から見たときの左側面の平面図が示されている。さらに、図６には、物品買取装置１０を構成するＣＤＰＯＳ部２００の内部構造を示す斜視図が示されている。また、図７は、ソータ部１００の表示部１０７と同じ表示部を備えた外部表示機３５０を示す斜視図である。
【００５０】
図３に示すように、物品買取装置１０は、ソータ部１００と、ＣＤＰＯＳ部２００とから主に構成されている。ソータ部１００は、ＣＤＰＯＳ部２００とは別の筐体によって形成され、ソータ部１００とＣＤＰＯＳ部２００とは通信用および電源供給用のケーブル３００によって連結され、それぞれの間で情報の交信が行えるようになっている。
【００５１】
（ソータ部１００）
図４に示すように、ソータ部１００は、特殊景品Ｐを受け入れる受入部１０１、受け入れた特殊景品Ｐを搬送する搬送部１０２、受け入れた特殊景品Ｐの種類を識別すると共に各種別毎の数量を計数する景品読取部１０３と、識別および数量計数処理を終了した特殊景品Ｐを排出する景品排出口１０４と、特殊景品Ｐを識別した際、特殊景品Ｐが不良品等であった場合に、その特殊景品Ｐを排出させる不良景品排出口１０５を備えている。
【００５２】
さらに、ソータ部１００には、受入部１０１の脇に、特殊景品Ｐの計数を開始させる計数開始ボタン１０６が設けられている。ソータ部１００の前面には、表示部１０７、電源スイッチ１０８が設けられ、さらに、表示部１０７の表示切り替えの指示、景品読取部１０３のエラー時の処理方法の指示等を行う操作ボタン１０９が設けられている。また、特殊景品Ｐの受入部１０１への挿入を適確に行わせるため、受入部１０１の端縁の一部に沿ってガイド板１１０が立設されている。
【００５３】
また、ソータ部１００には、ソータ部１００を構成する各構成部を制御し、ＣＤＰＯＳ部２００とケーブル３００を介して情報の入出力を行うソータ制御部１１１が設けられている。
【００５４】
次に、ソータ部１００を構成する上述した各構成部について説明する。
受入部１０１は、図４に示すように、ソータ部１００の上面端部に開口し、その開口端縁の他端側には、コ字状の立設壁からなるガイド板１１０が取り付けられている。このガイド板１１０に特殊景品Ｐを当接させることで、特殊景品Ｐを揃えて開口部内に設けられている搬送部１０２上に載置することができる。ここでは、搬送部１０２面の一部が受入部１０１の底面を形成している。ここで、ガイド板１１０は、中央の立設壁の下端を回転中心として回転可能に設けられ、ガイド板１１０を受入部１０１側に回転させることで、例えば、ソータ部１００の未使用時等に受入部１０１の開口を閉鎖することができる。
【００５５】
搬送部１０２は、２列の搬送ベルトを有するベルトコンベヤで構成され、一端側はベルトコンベヤ上面が受入部１０１の底面を形成するよう位置されると共に、他端側は景品読取部１０３が特殊景品Ｐの情報を読取可能な位置を通過して、不良の特殊景品Ｐを排出させる不良景品排出口１０５に達するように設けられている。なお、不良景品排出口１０５は、ソータ部１００の背面や右側面等他の部位に開口してもよく、特に顧客に返却する場合には、ソータ部１００の受入部１０１側に排出するのが望ましい。この場合には、搬送部１０２は、不良景品排出口１０５に対応するように適宜に搬送経路を形成することができる。
【００５６】
また、搬送部１０２には、景品読取部１０３で情報が読み取られた特殊景品Ｐを景品排出口１０４から排出するため、例えば、特殊景品Ｐを受入部１０１側から不良景品排出口１０５側へ搬送する主搬送経路から分岐する経路がさらに設けられている。ソータ部１００内には、受入部１０１の底面を形成する２列の搬送ベルトによってソータ部１００内部に搬送された１つの特殊景品Ｐを上部から挟み込むように搬送するための搬送ベルトが設けられている。これによって、特殊景品Ｐは、ソータ部１００内部では上下に設けられた搬送ベルトに挟持されながら搬送される。
【００５７】
景品読取部１０３は、ソータ部１００内に設けられ、搬送部１０２によって搬送された特殊景品Ｐの種類を識別すると共に、種別毎にその数量を計数する。そして、景品読取部１０３は、景品読取部１０３で識別および計数された特殊景品Ｐの景品情報をソータ制御部１１１に出力する。また、景品読取部１０３は、特殊景品Ｐが不良か否かの識別し、その情報をソータ制御部１１１に出力する。景品読取部１０３における特殊景品Ｐの種類の識別方法や数量の計数方法は、例えば、特殊景品ＰにＲＦＩＤデータキャリアを一体的に設け、その特殊景品Ｐが有する情報を景品読取部１０３としてのリーダライタで読み取る方式をとることもできる。また、この方法とは別の従来の景品読取部における特殊景品Ｐの種類の識別方法や数量の計数方法に用いられている方式を採用することもできる。
【００５８】
なお、景品読取部１０３は、特殊景品Ｐの識別を行う識別部と識別した結果である特殊景品Ｐ毎の数量を計数する景品計数部とに分けることもできる。この実施の形態では、景品読取部１０３は、識別部および景品計数部の双方を兼ね備えた構成となっている。また、景品読取部１０３では、特殊景品Ｐを識別および計数する以外に、例えば、特殊景品数や種別に関する情報を、外部の例えば特殊景品数量計数機から出力された情報等や人為的に例えばテンキーボード等で入力された情報など読み込んで景品情報とすることもできる。
【００５９】
計数開始ボタン１０６は、ソータ部１００に計数するよう指示するボタンである。なお、受入部１０１の搬送部１０２の所定の部位に特殊景品Ｐの載置を感知するセンサを設けることで、計数開始ボタン１０６と同等の働きをさせることも可能であり、この場合には計数開始ボタン１０６を設けないことも可能である。
【００６０】
表示部１０７は、ソータ部１００の正面に設けられる液晶表示部で構成され、例えば、景品読取部１０３によって識別された特殊景品Ｐの種類や各特殊景品Ｐの数量、特殊景品Ｐの売買時に発生する消費税、手数料、支払金総額（実買取価格）等を表示する。また、表示部１０７は、作業状況等も表示することが可能であり、その他必要な情報を表示させることができる。なお、表示部１０７は、液晶で構成されることに限らず、例えば、発光ダイオードＬＥＤなどで構成されてもよい。
【００６１】
ソータ制御部１１１は、演算装置（ＣＰＵ）、読み出し専用メモリ（ＲＯＭ）、ランダムアクセスメモリ（ＲＡＭ）から主に構成され、ＣＰＵでは、ＲＯＭやＲＡＭに格納されたプログラムやデータなどを用いて各種の演算処理を実行する。このソータ制御部１１１では、搬送部１０２、景品読取部１０３、表示部１０７等の各機部間の信号の出入力、およびケーブル３００を介してＣＤＰＯＳ部２００との間の信号の出入力を制御している。また、ソータ制御部１１１では、計数開始ボタン１０６、操作ボタン１０９、電源スイッチ１０８等からの入力信号に応じた上記した各機部の制御も行う。
【００６２】
さらに、図１および７に示すように、ソータ部１００のソータ制御部１１１は、例えば、景品持参客に対して景品総額、手数料、消費税、支払金総額（実買取価格）等を表示する外部表示機３５０とケーブル３５１を介して接続することができる。外部表示機３５０の正面には、液晶表示部が構成され、例えば、ソータ制御部１１１の表示部１０７に設けられた表示項目と同一の表示項目を設けた表示部３５２が設けられている。
【００６３】
（ＣＤＰＯＳ部２００）
図３および６に示すように、ＣＤＰＯＳ部２００には、紙幣払出口２０１またはコイン払出口２０２から払い出される現金を収納する紙幣ストッカ２０４およびコインストッカ２０５の蓋部２０３が上面に設けられる。蓋部２０３は、ＣＤＰＯＳ部２００上面に上方へ開口可能に設けられ、紙幣用および硬貨用にそれぞれ左右並べて蓋体２０３ａ、２０３ｂが設けられる。このようにＣＤＰＯＳ部２００の上面に、紙幣ストッカ２０４ａ、２０４ｂおよびコインストッカ２０５へ現金を補給するための蓋部２０３を設けることで、現金を補給する際に上方の空間から補給作業が行える。
【００６４】
また、ＣＤＰＯＳ部２００には、紙幣ストッカ２０４に貯留された紙幣を紙幣払出口２０１に搬送する紙幣搬送部２０６、コインストッカ２０５に貯留された硬貨をコイン払出口２０２に搬送する硬貨搬送部２０７が設けられている。さらに、ＣＤＰＯＳ部２００の正面には、特殊景品Ｐに対応した買取価格、消費税、手数料等の支払金総額（実買取価格）を計算するための計算要素、特殊景品Ｐに対応した転売価格等を入力するテンキーボード２０８、表示部２０９が設けられている。
【００６５】
また、ＣＤＰＯＳ部２００には、ＣＤＰＯＳ部２００を構成する各構成部を制御し、さらにソータ部１００および例えば情報管理センタ等の情報管理装置３２０との情報の入出力を行うＣＤＰＯＳ制御部２１０が設けられている。
【００６６】
次に、ＣＤＰＯＳ部２００を構成する上述した各構成部について説明する。
紙幣ストッカ２０４は、紙幣各種に対応してそれぞれの種別毎に設けられ、この実施の形態では、１万円札と千円札とを払出可能に構成され、１万円札用の紙幣ストッカ２０４ａと千円札用の紙幣ストッカ２０４ｂとで構成されている。紙幣ストッカ２０４ａ、２０４ｂは、それぞれ底面が対応する紙幣の形状を成し紙幣を積層して格納することができる直方体からなり、蓋体２０３ａを開口させて上方から挿入あるいは離脱することができる。紙幣ストッカ２０４ａと紙幣ストッカ２０４ｂとは、ＣＤＰＯＳ部２００の前後方向に並設されている。
【００６７】
紙幣搬送部２０６は、例えば搬送ベルトを有するベルトコンベヤで構成され、ＣＤＰＯＳ部２００の正面に設けられている紙幣払出口２０１からＣＤＰＯＳ部２００内部の紙幣ストッカ２０４ａ、２０４ｂの下部に位置して配設されている。この紙幣搬送部２０６は、例えば駆動モータ等（図示せず）によって駆動される。そして、紙幣搬送部２０６は、ＣＤＰＯＳ制御部２１０からの情報に基づいて、紙幣ストッカ２０４ａ、２０４ｂの下端から所望種の紙幣を所望枚数分、１枚ずつ抜き取るとともに、抜き取った複数枚の紙幣を積層して一度に紙幣払出口２０１から排出することができる。勿論、紙幣搬送部２０６は、紙幣ストッカ２０４ａ、２０４ｂから抜き取った紙幣を１枚ずつ順次排出するようにしてもよい。
【００６８】
コインストッカ２０５は、５００円硬貨または１００円硬貨を格納することができ、蓋体２０３ｂを開いて、ＣＤＰＯＳ部２００の上方から各硬貨を補給することができる。コインストッカ２０５は、この実施の形態では、５００円硬貨または１００円硬貨のみであるが、１０円硬貨も格納できるように構成してもよく、また、１００円硬貨のみを格納する構成でもよい。コインストッカ２０５は、ＣＤＰＯＳ制御部２１０からの情報に基づいて、所望種の硬貨を所望枚数分排出することができる。
【００６９】
硬貨搬送部２０７は、コインストッカ２０５の排出口とコイン払出口２０２とに連通する管路であり、コインストッカ２０５から排出された硬貨をコイン払出口２０２に導く。
【００７０】
テンキーボード２０８は、特殊景品Ｐに対応した基準買取価格および支払金総額（実買取価格）を計算するための各計算要素等を入力するものである。ここで、計算要素には、例えば、各特殊景品Ｐに対応して設定される、買取価格、買取手数料率、買取手数料率の方式（内手数料または外手数料）、買取手数料に対する消費税率、買取手数料に対する消費税率の方式（内税または外税）、買取消費税率、買取消費税率の方式（内税または外税）等が含まれる。これらの計算要素は、主に景品持参客と替場との間の特殊景品Ｐの売買に関する場合に用いられる。なお、特殊景品Ｐに対応した基準買取価格や買取価格は、各特殊景品Ｐの景品情報に記録されてもよい。
【００７１】
また、テンキーボード２０８では、主に替場と、遊技ホールまたは特殊景品問屋との間の特殊景品Ｐの売買に関する場合に用いられる実転売価格を計算するための転売計算要素も入力される。ここで、転売計算要素には、例えば、各特殊景品Ｐに対応して設定される、転売価格、転売手数料率、転売手数料率の方式（内手数料または外手数料）、転売手数料に対する消費税率、転売手数料に対する消費税率の方式（内税または外税）、転売消費税率、転売消費税率の方式（内税または外税）等が含まれる。
【００７２】
さらに、テンキーボード２０８では、例えば、替場を認識するための替場コード、替場の所在する県、市町村などの地域コード、日時等を初期入力する。また、テンキーボード２０８では、ＣＤＰＯＳ部２００やソータ部１００の機器に関する初期設定等も行うことができる。
【００７３】
表示部２０９は、ＣＤＰＯＳ部２００の正面に設けられる液晶表示部で構成され、例えば、ＣＤＰＯＳ制御部２１０からの制御信号に対応する表示事項等を表示する。さらに、ソータ制御部１１１からの景品情報やＣＤＰＯＳ部２００から払出される現金の情報、計算要素、転売計算要素等も表示することができる。なお、表示部２０９は、液晶で構成されることに限らず、例えば、発光ダイオードＬＥＤなどで構成されてもよい。
【００７４】
ＣＤＰＯＳ制御部２１０は、演算装置（ＣＰＵ）、読み出し専用メモリ（ＲＯＭ）、ランダムアクセスメモリ（ＲＡＭ）から主に構成され、ＣＰＵでは、ＲＯＭやＲＡＭに格納されたプログラムやデータなどを用いて各種の演算処理を実行する。また、ＣＤＰＯＳ制御部２１０は、例えば、表示部２０９およびテンキーボード２０８の裏面に装着される。このＣＤＰＯＳ制御部２１０では、紙幣搬送部２０６、コインストッカ２０５、表示部１０７等の各機部間の信号の出入力、およびケーブル３００を介してソータ制御部１１１との間の信号の出入力を制御している。また、ＣＤＰＯＳ制御部２１０は、テンキーボード２０８等からの入力信号に応じて、上記した各機部の制御および入力された情報の記録を行う。ここで、例えば、テンキーボード２０８によって入力された計算要素、転売計算、その他の設定条件は、ＲＯＭやＲＡＭに格納される。
【００７５】
さらに、ＣＤＰＯＳ制御部２１０は、ソータ制御部１１１との情報の交信や例えば情報管理センタ等の情報管理装置３２０との情報の交信を行う。また、図１に示すように、ＣＤＰＯＳ部２００のＣＤＰＯＳ制御部２１０は、例えば、パーソナルコンピュータなどの外部機器３３０、情報を印刷する外部プリンタ３４０等に接続されてもよい。この場合、パーソナルコンピュータでは、ＣＤＰＯＳ制御部２１０に入出力される、例えば、ソータ制御部１１１、情報管理装置３２０からの各種の情報やＣＤＰＯＳ制御部２１０で記録されている情報を表示したり、取り込んだりすることができ、外部プリンタ３４０ではそれらの情報を印刷することができる。
【００７６】
なお、この実施の形態では、ＣＤＰＯＳ制御部２１０に、ＣＤＰＯＳ部２００内の各機部との信号の出入力およびケーブル３００を介してソータ制御部１１１との間の信号の出入力を制御する機能に加えて、例えば情報管理センタ等の情報管理装置３２０との情報の交信を制御する機能を備えたが、情報管理装置３２０との情報の交信を制御する機能は、別個にＣＤＰＯＳ部２００内に設けてもよい。この場合、この別個に設けられた制御部と、ＣＤＰＯＳ制御部２１０と、ソータ制御部１１１とをそれぞれ個々に接続されても、またはこの別個に設けられた制御部にはＣＤＰＯＳ制御部２１０のみが接続されてもよい。さらに、情報管理装置３２０との情報の交信を制御する機能をソータ部１００内に設けることも可能である。
【００７７】
また、この実施の形態では、ソータ部１００とＣＤＰＯＳ部２００とを別体して構成した物品買取装置１０を示したが、この構成に限られるものではなく、ソータ部１００とＣＤＰＯＳ部２００とを一体的に構成してもよい。
【００７８】
ここで、情報管理装置３２０は、演算装置（ＣＰＵ）、読み出し専用メモリ（ＲＯＭ）、ランダムアクセスメモリ（ＲＡＭ）から主に構成され、ＣＰＵでは、ＲＯＭやＲＡＭに格納されたプログラムやデータなどを用いて各種の演算処理を実行する機能を有している。そして、情報管理装置３２０では、ＣＤＰＯＳ部２００から出力された各種情報を管理し、ＣＤＰＯＳ部２００からの要求により管理した情報をＣＤＰＯＳ部２００に出力する。
【００７９】
（特殊景品Ｐの物流）
次に、特殊景品Ｐの物流について、図８および図９を参照して説明する。
【００８０】
図８には、景品持参客４００、替場４０１、遊技ホール４０２、情報管理センタ４０３間における特殊景品Ｐの物流の概要の一例が示されている。また、図９には、景品持参客４００、替場４０１、遊技ホール４０２、情報管理センタ４０３、特殊景品問屋４５０間における特殊景品Ｐの物流の概要の一例が示されている。
【００８１】
まず、図８に示された特殊景品Ｐの物流について説明する。
【００８２】
景品持参客４００は、遊技ホール４０２において、例えば、パチンコ玉等の遊技媒体４０４を特殊景品４０５に交換する。遊技媒体４０４と交換された特殊景品４０５は、替場４０１において買い取られ、替場４０１から景品持参客４００にその買取額に相当する支払金４０６が渡される。ここで、替場４０１では、特殊景品４０５に相当する金額から、替場４０１に備えられた物品買取装置１０において設定された、例えば、各種消費税、手数料を差し引いた金額を支払金４０６として景品持参客４００に渡す。
【００８３】
続いて、替場４０１で買い取られた特殊景品４０５は、遊技ホール４０２において買い取られ、遊技ホール４０２から替場４０１にその転売額に相当する支払金４０７が渡される。
【００８４】
替場４０１に設置された物品買取装置１０のＣＤＰＯＳ部２００では、景品持参客４００と替場４０１との間の特殊景品Ｐの売買に関する、例えば、特殊景品Ｐに対応した基準買取価格、各特殊景品Ｐに対応して設定される、買取価格、買取手数料率、買取手数料率の方式（内手数料または外手数料）、買取手数料に対する消費税率、買取手数料に対する消費税率の方式（内税または外税）、買取消費税率、買取消費税率の方式（内税または外税）、端数単位、受付日時、替場を認識するための替場コード、替場の所在する県、市町村などの地域コード等が集計される。さらに、ＣＤＰＯＳ部２００では、上記した実買取価格を計算するための計算要素等およびソータ制御部１１１から出力された景品情報に基づいて算出された、支払金総額（実買取価格）、買取手数料総額、買取手数料に対する消費税総額、買取消費税総額、買い取られた各特殊景品Ｐ毎の買取総額および数量、買い取られた特殊景品Ｐの買取総額、端数額等も集計される。そして、ＣＤＰＯＳ部２００は、これらの集計された情報を情報管理センタ４０３の情報管理装置３２０に出力する。
【００８５】
また、ＣＤＰＯＳ部２００では、替場４０１と遊技ホール４０２との間の特殊景品Ｐの売買に関する、例えば、各特殊景品Ｐに対応して設定される、転売価格、転売手数料率、転売手数料率の方式（内手数料または外手数料）、転売手数料に対する消費税率、転売手数料に対する消費税率の方式（内税または外税）、転売消費税率、転売消費税率の方式（内税または外税）等が集計される。さらに、上記した実買取価格を計算するための計算要素等に基づいて算出された、転売金総額、転売手数料総額、転売手数料に対する消費税総額、転売消費税総額、転売された各特殊景品Ｐ毎の転売総額および数量、転売された特殊景品Ｐの転売総額、納税消費税、利益、損益等が集計される。そして、ＣＤＰＯＳ部２００は、これらの集計した情報を情報管理センタ４０３の情報管理装置３２０に出力する。
【００８６】
図８に示すように、情報管理センタ４０３には、他の替場４０８からの集計情報も出力され、情報管理センタ４０３では、例えば、各替場から出力された集計情報をさらに集計し、替場毎の集計情報を一覧にまとめる等の集計を行うことができる。
【００８７】
続いて、図９に示された特殊景品Ｐの物流について説明する。
図９に示された特殊景品Ｐの物流では、図８に示された特殊景品Ｐの物流の替場４０１と遊技ホール４０２との間に特殊景品問屋４５０が介在している。
【００８８】
景品持参客４００は、遊技ホール４０２において、例えば、パチンコ玉等の遊技媒体４０４を特殊景品４０５に交換する。遊技媒体４０４と交換された特殊景品４０５は、替場４０１において買い取られ、替場４０１から景品持参客４００にその買取額に相当する支払金４０６が渡される。ここで、替場４０１では、特殊景品４０５に相当する金額から、替場４０１に備えられた物品買取装置１０において設定された、例えば、各種消費税、手数料を差し引いた金額を支払金４０６として景品持参客４００に渡す。
【００８９】
続いて、替場４０１で買い取られた特殊景品４０５は、特殊景品問屋４５０において買い取られ、特殊景品問屋４５０から替場４０１にその転売額に相当する支払金４５１が渡される。
【００９０】
次に、特殊景品問屋４５０で買い取られた特殊景品４０５は、遊技ホール４０２において買い取られ、遊技ホール４０２から特殊景品問屋４５０にその転売額に相当する支払金４５２が渡される。
【００９１】
替場４０１に設置された物品買取装置１０のＣＤＰＯＳ部２００では、景品持参客４００と替場４０１との間の特殊景品Ｐの売買に関する、例えば、特殊景品Ｐに対応した基準買取価格、各特殊景品Ｐに対応して設定される、買取価格、買取手数料率、買取手数料率の方式（内手数料または外手数料）、買取手数料に対する消費税率、買取手数料に対する消費税率の方式（内税または外税）、買取消費税率、買取消費税率の方式（内税または外税）、端数単位、受付日時、替場を認識するための替場コード、替場の所在する県、市町村などの地域コード等が集計される。さらに、上記した実買取価格を計算するための計算要素等およびソータ制御部１１１から出力された景品情報に基づいて算出された、支払金総額（実買取価格）、買取手数料総額、買取手数料に対する消費税総額、買取消費税総額、買い取られた各特殊景品Ｐ毎の買取総額および数量、買い取られた特殊景品Ｐの買取総額、支払端数額、支払端数単位等が集計される。そして、ＣＤＰＯＳ部２００は、これらの集計した情報を情報管理センタ４０３の情報管理装置３２０に出力する。
【００９２】
さらに、ＣＤＰＯＳ部２００では、替場４０１と特殊景品問屋４５０との間の特殊景品Ｐの売買に関する、例えば、各特殊景品Ｐに対応して設定される、転売価格、転売手数料率、転売手数料率の方式（内手数料または外手数料）、転売手数料に対する消費税率、転売手数料に対する消費税率の方式（内税または外税）、転売消費税率、転売消費税率の方式（内税または外税）等が集計される。さらに、上記した実買取価格を計算するための計算要素等に基づいて算出された、転売金総額、転売手数料総額、転売手数料に対する消費税総額、転売消費税総額、転売された各特殊景品Ｐ毎の転売総額および数量、転売された特殊景品Ｐの転売総額、納税消費税、利益等が集計される。そして、ＣＤＰＯＳ部２００は、これらの集計した情報を情報管理センタ４０３の情報管理装置３２０に出力する。
【００９３】
また、図９に示すように、情報管理センタ４０３には、特殊景品問屋４５０からの集計情報も出力され、情報管理センタ４０３では、例えば、各替場から出力された集計情報および各特殊景品問屋４５０から出力された集計情報をさらに集計し、替場毎および特殊景品問屋毎の集計情報を一覧にまとめる等の集計を行うことができる。
【００９４】
この図９に示された特殊景品Ｐの物流では、替場４０１と遊技ホール４０２との間に特殊景品問屋４５０が介在しているので、例えば替場４０１、特殊景品問屋４５０で徴収される手数料を同額とすると、図８に示す特殊景品Ｐの物流の場合に比べて、特殊景品問屋４５０で取られる手数料分を替場４０１では景品持参客４００から多く徴収されることになる。
【００９５】
（物品買取装置１０の動作）
次に、物品買取装置１０の動作ついて、図１０〜１４を参照して説明する。
【００９６】
図１０は、ソータ部１００の構成の概要を示したものであり、図１１は、ソータ部１００の動作を説明するフローチャートである。また、図１２は、ＣＤＰＯＳ部２００の構成の概要を示したものであり、図１３および１４は、ＣＤＰＯＳ部２００の動作を説明するフローチャートである。
【００９７】
（ソータ部１００の動作）
図１０に示すように、ソータ部１００は、ソータ制御部１１１、搬送部１０２、選択ボタン検知部５００、景品読取部１０３、表示部１０７から構成されている。
【００９８】
ソータ制御部１１１は、演算装置（ＣＰＵ）、読み出し専用メモリ（ＲＯＭ）、ランダムアクセスメモリ（ＲＡＭ）から主に構成され、ＣＰＵでは、ＲＯＭやＲＡＭに格納されたプログラムやデータなどを用いて各種の演算処理を実行する。このソータ制御部１１１では、搬送部１０２、選択ボタン検知部５００、景品読取部１０３、表示部１０７の各機部間の信号の出入力、および、ケーブル３００を介してＣＤＰＯＳ部２００との間の信号の出入力を制御している。
【００９９】
搬送部１０２は、ソータ制御部１１１からの信号に基づいて、受入部１０１に受け入れられた特殊景品Ｐを景品読取部１０３、景品排出口１０４、不良景品排出口１０５に搬送するもので、例えば、２列の搬送ベルトを有するベルトコンベヤ等で構成される。
【０１００】
選択ボタン検知部５００は、計数開始ボタン１０６、電源スイッチ１０８、操作ボタン１０９が押されたことを検知し、その押されたボタンまたはスイッチに対応する信号をソータ制御部１１１に出力するものである。また、選択ボタン検知部５００は、受入部１０１の搬送部１０２の所定の部位に設けられた特殊景品Ｐの載置を感知する感知センサ（図示しない）からの感知信号も検知する。
【０１０１】
景品読取部１０３は、搬送部１０２によって搬送された特殊景品Ｐの種類を識別すると共に、種別毎にその数量を計数し、ソータ制御部１１１に読み取った景品情報を出力するものである。また、景品読取部１０３は、特殊景品Ｐが不良か否かの識別し、その情報をソータ制御部１１１に出力する。
【０１０２】
表示部１０７は、ソータ制御部１１１からの信号に基づいて、例えば、景品読取部１０３によって識別された特殊景品Ｐの種類や各特殊景品Ｐの数量、特殊景品Ｐの売買時に発生する消費税、手数料、支払金総額（実買取価格）等を表示する。また、表示部１０７は、作業状況等も表示することが可能であり、その他必要な情報を表示させることができる。
【０１０３】
そして、ソータ制御部１１１によって制御される、搬送部１０２、選択ボタン検知部５００、景品読取部１０３、表示部１０７の各機器部は、次のように動作する（図１１）。
【０１０４】
以下に、図１１を参照してそれらの動作を説明する。
選択ボタン検知部５００は、計数開始ボタン１０６からの入力を待機しており、受入部１０１に特殊景品Ｐが受け入れられ、計数開始ボタン１０６からの入力を検知すると、それに応じた処理を実行する。
【０１０５】
選択ボタン検知部５００は、計数開始ボタン１０６が押されたことを検知すると（ステップＳ５１０のＹｅｓ）、その情報をソータ制御部１１１に出力する。ソータ制御部１１１は、その情報に基づいて、搬送部１０２を駆動させる信号を搬送部１０２に出力する。
【０１０６】
一方、選択ボタン検知部５００が計数開始ボタン１０６が押されたことを検知しない場合には（ステップＳ５１０のＮｏ）、待機状態となる。
【０１０７】
駆動信号がソータ制御部１１１から搬送部１０２に出力されると搬送部１０２は駆動し、受入部１０１に受け入れられた特殊景品Ｐを景品読取部１０３で読み取り可能な位置に搬送する（ステップＳ５１１）。そして、景品読取部１０３によって、特殊景品Ｐが正常な特殊景品Ｐであるか否かが判定される（ステップＳ５１２）。
【０１０８】
景品読取部１０３は、特殊景品Ｐが不良な特殊景品Ｐであると判定すると（ステップＳ５１２のＮｏ）、その情報をソータ制御部１１１に出力する。ソータ制御部１１１は、その情報に基づいて、搬送部１０２を駆動させる信号を搬送部１０２に出力し、不良な特殊景品Ｐは、不良景品排出口１０５から排出される（ステップＳ５１３）。この際、ソータ制御部１１１に、例えば、不良な特殊景品Ｐを検知した日時、検知数量等の不良景品検知情報を記録させることもできる。
【０１０９】
一方、景品読取部１０３は、特殊景品Ｐが正常な特殊景品Ｐであると判定すると（ステップＳ５１２のＹｅｓ）、特殊景品Ｐの種類を識別し、特殊景品Ｐの数量を計数する（ステップＳ５１４）。
【０１１０】
そして、その景品情報をソータ制御部１１１に出力する。ソータ制御部１１１は、その情報に基づいて、例えば、特殊景品Ｐ毎の数量等を表示する表示信号を表示部１０７に出力する。表示部１０７では、その表示信号に基づいて、特殊景品Ｐ毎の数量等を表示する（ステップＳ５１５）。
【０１１１】
さらに、景品情報を入力したソータ制御部１１１は、搬送部１０２を駆動させる信号を搬送部１０２に出力し、特殊景品Ｐを景品読取部１０３の位置から景品排出口１０４に搬送し、特殊景品Ｐを排出する（ステップＳ５１６）。
【０１１２】
続いて、選択ボタン検知部５００において、受入部１０１の所定の部位に設けられた特殊景品Ｐの載置を感知する感知センサ（図示しない）からの感知信号を検知している場合は（ステップＳ５１７のＮｏ）、その感知信号に対応する信号をソータ制御部１１１に出力し続ける。ソータ制御部１１１は、その信号が入力される間は受入部１０１に他の特殊景品Ｐがまだ載置されていると判定し、ステップＳ５１１からの動作を繰り返し行う。
【０１１３】
一方、選択ボタン検知部５００において、感知センサ（図示しない）からの感知信号が検知されない場合は（ステップＳ５１７のＹｅｓ）、その感知信号に対応する信号がソータ制御部１１１に出力されなくなる。そして、ソータ制御部１１１は、受入部１０１に他の特殊景品Ｐは存在しないと判定し、最後に搬送された特殊景品Ｐからの情報の読み取りを終了すると、景品読取部１０３から出力されたすべての景品情報をケーブル３００を介してＣＤＰＯＳ部２００のＣＤＰＯＳ制御部２１０に出力する（ステップＳ５１８）。その出力の際、不良景品検知情報も同時に出力されてもよい。
【０１１４】
ＣＤＰＯＳ部２００では、ソータ制御部１１１から出力された景品情報に基づいて、後述する動作が行われる。そして、そのＣＤＰＯＳ部２００の動作の結果得られた、例えば、消費税、手数料、支払金総額（実買取価格）等の支払情報は、ＣＤＰＯＳ制御部２１０からソータ制御部１１１に出力される。
【０１１５】
ソータ制御部１１１において、ＣＤＰＯＳ制御部２１０からその支払情報を受信した場合には（ステップＳ５１９のＹｅｓ）、まず、ソータ制御部１１１は、表示部１０７に景品総額の表示をするための信号を出力する。
【０１１６】
表示部１０７では、その信号に基づいて、景品総額を、例えば２秒間表示する（ステップＳ５２０）。ここで、景品総額とは、ソータ部１００で読み込まれた特殊景品Ｐの基準買取価格の合計に対応する数値であり、例えば、その基準買取価格の合計が１万円の場合、景品総額は１００と表示される。また、基準買取価格とは、遊技ホールにて遊技媒体を所定の価格変換率で交換したときの価格に相当し、その基準買取価格に対応して特殊景品Ｐが遊技ホールから遊技客に渡される。
【０１１７】
続いて、ＣＤＰＯＳ制御部２１０からソータ制御部１１１に出力された支払情報が、手数料が外手数料方式として徴収されることに関する情報を有する場合（ステップＳ５２１のＹｅｓ）、ソータ制御部１１１は、表示部１０７にその手数料を表示するための信号を出力する。表示部１０７では、その信号に基づいて、手数料を、例えば２秒間表示する（ステップＳ５２２）。
【０１１８】
一方、ＣＤＰＯＳ制御部２１０からソータ制御部１１１に出力された支払情報が、手数料が外手数料方式として徴収されることに関する情報を有しない場合（ステップＳ５２１のＮｏ）、およびステップＳ５２２で手数料を表示後、ソータ制御部１１１によって、ＣＤＰＯＳ制御部２１０からソータ制御部１１１に出力された支払情報が、消費税が外税方式として徴収されることに関する情報を有するか否かが判定される。
【０１１９】
ソータ制御部１１１によって、ＣＤＰＯＳ制御部２１０からソータ制御部１１１に出力された支払情報が、消費税が外税方式として徴収されることに関する情報を有すると判定された場合には（ステップＳ５２３のＹｅｓ）、ソータ制御部１１１は、表示部１０７にその消費税を表示するための信号を出力する。表示部１０７では、その信号に基づいて、消費税を、例えば２秒間表示する（ステップＳ５２４）。この際、この消費税を替場４０１が景品持参客４００に代わって納税する場合には、表示される消費税額の前に「−」記号が付され、支払金総額（実買取価格）がその消費税分を差し引いた額であることを示す。一方、この消費税を景品持参客４００が自ら納税する場合には、表示される消費税額の前に「＋」記号が付されるか、または消費税額の前は無符号となり、支払金総額（実買取価格）がその消費税分を差し引いていない額であることを示す。
【０１２０】
但し、現行の消費税制では、個人や売上高３０００万円に満たない事業者が消費税を納税することはないのでこのように消費税分を個人に対し多く支払うことはないが、将来個人が消費税を支払う税制となり、支払い可能な環境が整った場合に本実施例が適用できる。
【０１２１】
消費税が外税方式として徴収されることに関する情報を有しない場合（ステップＳ５２３のＮｏ）、およびステップＳ５２４で消費税を表示後、ソータ制御部１１１は、表示部１０７に支払金総額（実買取価格）を表示するための信号を出力する。表示部１０７では、その信号に基づいて、支払金総額（実買取価格）を、例えば２秒間表示する（ステップＳ５２５）。
【０１２２】
なお、ここでは、景品総額の表示（ステップＳ５２０）、手数料の表示（ステップＳ５２２）、消費税の表示（ステップＳ５２４）および支払金総額（実買取価格）の表示（ステップＳ５２５）を時間を追って行っているが、これらの表示は同時に所定の時間行われてもよい。
【０１２３】
続いて、ソータ制御部１１１によって、時間を追って表示される景品総額の表示（ステップＳ５２０）、手数料の表示（ステップＳ５２２）、消費税の表示（ステップＳ５２４）および支払金総額（実買取価格）の表示（ステップＳ５２５）の表示時間が所定の時間内であるか否かが判定される（ステップＳ５２６）。
【０１２４】
この表示時間が所定の時間内であると判定された場合には（ステップＳ５２６のＹｅｓ）、ソータ制御部１１１は、景品総額の表示（ステップＳ５２０）から再度時間を追って、手数料の表示（ステップＳ５２２）、消費税の表示（ステップＳ５２４）および支払金総額（実買取価格）の表示（ステップＳ５２５）を行う信号を表示部１０７に出力する。
【０１２５】
一方、表示時間が所定の時間を経過していると判定された場合には（ステップＳ５２６のＮｏ）、ソータ制御部１１１は、支払金総額（実買取価格）の表示（ステップＳ５２５）を最後に、表示部１０７への表示に関する信号の出力を停止する。
【０１２６】
但し、ここで受入部１０１に景品を受け入れた場合、感知センサ（図示しない）からの感知信号が検知される場合、計数開始ボタン１０６が押された場合、操作ボタン１０９の一つである表示キャンセルボタンが押された場合の少なくとも１つの条件が成立した場合ステップＳ５２６にてＹｅｓの場合であってもリターンするようにしてもよい。
【０１２７】
なお、ソータ部１００のソータ制御部１１１は、別体として構成された外部表示機３５０とケーブル３５１を介して接続することができる。そして、ソータ制御部１１１は、表示部１０７に出力する信号と同一な信号を外部表示機３５０に出力することにより、ソータ制御部１１１の表示部１０７に設けられた表示項目と同一の表示項目が設けられた外部表示機３５０の表示部３５２に、表示部１０７と同一の表示を行うことができる。
【０１２８】
（ＣＤＰＯＳ部２００の動作）
図１２に示すように、ＣＤＰＯＳ部２００は、ＣＤＰＯＳ制御部２１０、搬送部６００、選択ボタン検知部６０１、表示部２０９から構成されている。
【０１２９】
ＣＤＰＯＳ制御部２１０は、演算装置（ＣＰＵ）、読み出し専用メモリ（ＲＯＭ）、ランダムアクセスメモリ（ＲＡＭ）から主に構成され、ＣＰＵでは、ＲＯＭやＲＡＭに格納されたプログラムやデータなどを用いて各種の演算処理を実行する。このＣＤＰＯＳ制御部２１０では、搬送部６００、選択ボタン検知部６０１、表示部２０９の各機部間の信号の出入力、および、ケーブル、モデム３１０を介して情報管理センタ４０３の情報管理装置３２０との間の信号の出入力を制御している。
【０１３０】
搬送部６００は、紙幣搬送部２０６およびコインストッカ２０５から構成される。紙幣搬送部２０６は、紙幣ストッカ２０４ａ、２０４ｂの下部に位置して配設される、例えば搬送ベルトを有するベルトコンベヤ等で構成され、ＣＤＰＯＳ制御部２１０からの信号に基づいて、紙幣ストッカ２０４ａ、２０４ｂの下端から所望種の紙幣を所望枚数分、１枚ずつ抜き取るとともに、抜き取った複数枚の紙幣を積層して一度に紙幣払出口２０１から排出するものである。また、コインストッカ２０５は、５００円硬貨または１００円硬貨を格納し、ＣＤＰＯＳ制御部２１０からの信号に基づいて、所望種の硬貨を所望枚数分排出するものである。コインストッカ２０５から排出された硬貨は、コインストッカ２０５の排出口とコイン払出口２０２とに連通する管路である硬貨搬送部２０７によってコイン払出口２０２に導かれる。
【０１３１】
選択ボタン検知部６０１は、テンキーボード２０８の各部位が押されたことを検知し、その押された部位に対応する信号をＣＤＰＯＳ制御部２１０に出力するものである。また、選択ボタン検知部６０１は、図示されていないが、例えば、テンキーボード２０８によって、各条件が初期設定された終了後に押される初期設定ボタン、情報出力ボタン、集計印字ボタン、履歴印字ボタンが押されたことを検知し、その押されたボタンに対応する信号のＣＤＰＯＳ制御部２１０への出力も行う。
【０１３２】
表示部２０９は、ＣＤＰＯＳ制御部２１０からの信号に基づいて、例えば、ＣＤＰＯＳ制御部２１０からの制御信号に対応する表示事項等を表示するものである。さらに、ソータ制御部１１１からの景品情報やＣＤＰＯＳ部２００から支払われる現金の情報、実買取価格を計算するための計算要素、実転売価格を計算するための計算要素等も表示することができる。
【０１３３】
そして、ＣＤＰＯＳ制御部２１０によって制御される、搬送部６００、選択ボタン検知部６０１、表示部２０９の各機器部は、次のように動作する（図１３および１４）。
【０１３４】
以下に、図１３および１４を参照してそれらの動作を説明する。
テンキーボード２０８によって、景品持参客４００と替場４０１との間の特殊景品Ｐの売買に関する、例えば、特殊景品Ｐに対応した基準買取価格、各特殊景品Ｐに対応して設定される、買取価格、買取手数料率、買取手数料率の方式（内手数料または外手数料）、買取手数料に対する消費税率、買取手数料に対する消費税率の方式（内税または外税）、買取消費税率、買取消費税率の方式（内税または外税）、端数単位、受付日時、替場を認識するための替場コード、替場の所在する県、市町村などの地域コード等が設定され、初期設定ボタンが押されると（ステップＳ６０８のＹｅｓ）、これらの設定情報は、ＣＤＰＯＳ制御部２１０に記録される（ステップＳ６０９）。さらに、ＣＤＰＯＳ制御部２１０は、これらの設定情報をソータ部１００のソータ制御部１１１に出力する（ステップＳ６０９）。
【０１３５】
なお、テンキーボード２０８によって、設定することができる情報として上記した情報以外に、例えば、各特殊景品Ｐに対応して設定される、転売価格、転売手数料率、転売手数料率の方式（内手数料または外手数料）、転売手数料に対する消費税率、転売手数料に対する消費税率の方式（内税または外税）、転売消費税率、転売消費税率の方式（内税または外税）等などがある。
【０１３６】
初期設定ボタンが押されない場合には、待機状態となる（ステップＳ６０８のＮｏ）。即ち、ステップＳ６０８にて初期設定ボタンが押された履歴がない場合、初期設定がなされない状態であり、営業できないよう待機させるため、例えば、表示部２０９に「初期設定を行って下さい」等の表示をして、無限ループを繰り返す。
【０１３７】
また、ＣＤＰＯＳ制御部２１０は、ソータ制御部１１１からの入力を待機しており、ソータ制御部１１１からの入力を検知すると、それに応じた処理を実行する。
【０１３８】
ＣＤＰＯＳ制御部２１０は、ソータ制御部１１１から景品情報を受信すると（ステップＳ６１０のＹｅｓ）、景品情報と基準買取価格から景品総額（Ｂ１）を算出する（ステップＳ６１１）。例えば、基準買取価格が、５０００の景品が２個、２５００円の景品が１個、１０００の景品が１個の場合には、景品総額（Ｂ１）は、１３５００円となる。
【０１３９】
一方、ソータ制御部１１１から景品情報を受信されない場合には（ステップＳ６１０のＮｏ）、待機状態となる。
【０１４０】
ＣＤＰＯＳ制御部２１０は、景品総額を算出すると、消費税率が「０」か否かを判定し、消費税率が「０」でない場合には（ステップＳ６１２のＮｏ）、続いて、消費税方式を判定する（ステップＳ６１３）。
【０１４１】
消費税方式が内税と判定された場合には（ステップＳ６１３の内税）、次の式（１）によって消費税（Ａ１）が算出される（ステップＳ６１４）。
Ａ１  ＝  Ｂ１  ×  Ｃ１  ／  （１＋Ｃ１）  …式（１）
ここで、Ｃ１は消費税率である。
【０１４２】
消費税方式が外税と判定された場合には（ステップＳ６１３の外税）、次の式（２）によって消費税（Ａ２）が算出される（ステップＳ６１５）。
Ａ２  ＝  Ｂ１  ×  Ｃ１  …式（２）
【０１４３】
消費税（Ａ１）または消費税（Ａ２）が算出された後、または、消費税率が「０」の場合には（ステップＳ６１２のＹｅｓ）、ＣＤＰＯＳ制御部２１０は、手数料率が「０」か否かを判定する（ステップＳ６１６）。
【０１４４】
手数料率が「０」でない場合には（ステップＳ６１６のＮｏ）、続いて、手数料方式を判定する（ステップＳ６１７）。
【０１４５】
手数料方式が内手数料と判定された場合には（ステップＳ６１７の内手数料）、次の式（３）によって手数料（Ｅ１）が算出される（ステップＳ６１８）。
Ｅ１  ＝  Ｂ１  ×  Ｆ１  ／  （１＋Ｆ１）  …式（３）
ここで、Ｆ１は手数料率である。
【０１４６】
手数料方式が外手数料と判定された場合には（ステップＳ６１７の外手数料）、次の式（４）によって手数料（Ｅ２）が算出される（ステップＳ６１９）。
Ｅ２  ＝  Ｂ１  ×  Ｆ１  …式（４）
【０１４７】
手数料（Ｅ１）または手数料（Ｅ２）が算出された後、ＣＤＰＯＳ制御部２１０は、手数料に対する消費税率が「０」か否かを判定する（ステップＳ６２０）。
【０１４８】
手数料に対する消費税率が「０」でない場合には（ステップＳ６２０のＮｏ）、続いて、消費税方式を判定する（ステップＳ６２１）。
【０１４９】
消費税方式が内税と判定された場合には（ステップＳ６２１の内税）、次の式（５）によって手数料に対する消費税（Ｇ１）が算出される（ステップＳ６２２）。
Ｇ１  ＝  Ｅ１  ×  Ｈ１  ／  （１＋Ｈ１）  …式（５）
ここで、Ｈ１は手数料に対する消費税率である。
【０１５０】
消費税方式が外税と判定された場合には（ステップＳ６２１の外税）、次の式（６）によって手数料に対する消費税（Ｇ２）が算出される（ステップＳ６２３）。
Ｇ２  ＝  Ｅ１  ×  Ｈ１  …式（６）
【０１５１】
消費税（Ｇ１）または消費税（Ｇ２）が算出された後、または、手数料率が「０」の場合には（ステップＳ６１６のＹｅｓ）、ＣＤＰＯＳ制御部２１０は、支払金総額（実買取価格）（Ｄ１）、（Ｄ２）…、（Ｄ８）を次の式（７）〜（１４）のいずれかの式によって算出する（ステップＳ６２４）。
【０１５２】
ここで、表１に、上記動作ステップにおけるステップ経路と支払金総額（実買取価格）（Ｄ１）、（Ｄ２）…、（Ｄ８）の対応を示す。例えば、この表１において、最上段に記載されたステップ経路は、ステップＳ６１２において消費税を含まず、ステップＳ６１６において手数料を含まないとされたものであり、この場合の支払金総額（実買取価格）（Ｄ１）を式（７）によって求めることができる。また、例えば、この表１において、最下段に記載されたステップ経路は、ステップＳ６１２およびステップＳ６１３において消費税を外税で含み、ステップＳ６１６およびステップＳ６１７において手数料を外手数料で含み、さらに、ステップＳ６２０およびステップＳ６２１において手数料に対する消費税を外税で含むものであり、この場合の支払金総額（実買取価格）（Ｄ８）を式（１４）によって求めることができる。
Ｄ１  ＝  Ｂ１  +  Ｊ１  …式（７）
Ｄ２  ＝  Ｂ１  +  Ｇ２  +  Ｊ１  …式（８）
Ｄ３  ＝  Ｂ１  +  Ｅ２  +  Ｊ１  …式（９）
Ｄ４  ＝  Ｂ１  +  Ｅ２  +  Ｇ２  +  Ｊ１  …式（１０）
Ｄ５  ＝  Ｂ１  +  Ａ２  +  Ｊ１  …式（１１）
Ｄ６  ＝  Ｂ１  +  Ａ２  +  Ｇ２  +  Ｊ１  …式（１２）
Ｄ７  ＝  Ｂ１  +  Ａ２  +  Ｅ２  +  Ｊ１  …式（１３）
Ｄ８  ＝  Ｂ１  +  Ａ２  +  Ｅ２  +  Ｇ２  +  Ｊ１  …式（１４）
【０１５３】
【表１】
2006312093.tif 000003
【０１５４】
ここで、（Ｊ１）は、端数処理における端数額であり、この端数額は、予めテンキーボード２０８によって設定された端数単位に基づいて、その端数単位以下の単位の金額が差し引かれた金額、または、その支払端数単位以下の単位の金額がなくなるように所定の金額が加算された金額である。
【０１５５】
続いて、ＣＤＰＯＳ制御部２１０は、例えば、景品総額、消費税の有無、消費税方式、消費税額、手数料の有無、手数料方式、手数料に対する消費税額、支払金総額（実買取価格）等の表示信号を表示部２０９に出力する。表示部２０９は、ＣＤＰＯＳ制御部２１０からの表示信号に基づいて、例えば、上記した表示事項等を表示する（ステップＳ６２５）。
【０１５６】
また、ＣＤＰＯＳ制御部２１０は、上記した例えば、景品総額、消費税の有無、消費税方式、消費税額、手数料の有無、手数料方式、手数料に対する消費税額、支払金総額（実買取価格）等の情報をソータ部１００のソータ制御部１１１に出力する（ステップＳ６２６）。ソータ制御部１１１は、そのＣＤＰＯＳ制御部２１０からの情報に関する表示信号を表示部１０７に出力し、表示部１０７に例えば、上記した表示事項等を表示する。
【０１５７】
また、ＣＤＰＯＳ制御部２１０は、支払金総額（実買取価格）に対応する信号を搬送部６００に出力する。搬送部６００は、その支払金総額（実買取価格）に対応する信号に基づいて、紙幣搬送部２０６を駆動し、ＣＤＰＯＳ部２００の紙幣ストッカ２０４ａ、２０４ｂの下端から所望種の紙幣を所望枚数分、１枚ずつ抜き取るとともに、抜き取った複数枚の紙幣を紙幣払出口２０１から排出する（ステップＳ６２７）。また、搬送部６００は、その支払金総額（実買取価格）に対応する信号に基づいて、コインストッカ２０５を駆動し、所望種の硬貨を所望枚数分、硬貨搬送部２０７を介してコイン払出口２０２から排出する（ステップＳ６２７）。
【０１５８】
さらに、ＣＤＰＯＳ制御部２１０は、ソータ部１００のソータ制御部１１１から出力された景品情報を記録し、例えば、景品総額、消費税の有無、消費税方式、消費税額、手数料の有無、手数料方式、手数料に対する消費税額、支払金総額（実買取価格）等を景品持参客毎に、処理された順に、時系列的に集計する（ステップＳ６２８）。集計方法は、この景品持参客毎に、処理された順に、時系列的に集計するものには限らない。例えば、さらに、替場における景品総額、消費税の有無、消費税方式、消費税額、手数料の有無、手数料方式、手数料に対する消費税額、支払金総額（実買取価格）等をまとめて集計することもできる。
【０１５９】
続いて、選択ボタン検知部６０１によって、情報出力ボタンが押されたことが検知されると（ステップＳ６２９のＹｅｓ）、選択ボタン検知部６０１は、その情報をＣＤＰＯＳ制御部２１０に出力する。ＣＤＰＯＳ制御部２１０は、その情報に基づいて、モデム３１０を介して、情報管理センタ４０３の情報管理装置３２０に集計情報を出力する（ステップＳ６３０）。
【０１６０】
また、選択ボタン検知部６０１によって、集計印字ボタンが押されたことが検知されると（ステップＳ６３１のＹｅｓ）、選択ボタン検知部６０１はその情報をＣＤＰＯＳ制御部２１０に出力する。ＣＤＰＯＳ制御部２１０は、その情報に基づいて、ＣＤＰＯＳ制御部２１０に接続された外部プリンタ３４０によって、集計情報を印刷する（ステップＳ６３２）。
【０１６１】
さらに、選択ボタン検知部６０１によって、履歴印字ボタンが押されたことが検知されると（ステップＳ６３３のＹｅｓ）、選択ボタン検知部６０１は、その情報をＣＤＰＯＳ制御部２１０に出力する。ＣＤＰＯＳ制御部２１０は、その情報に基づいて、ＣＤＰＯＳ制御部２１０に接続された外部プリンタ３４０によって、集計情報の履歴を印刷する（ステップＳ６３４）。
【０１６２】
（集計情報の一例）
表２および３を参照して、集計情報の一例を説明する。表２は、ＣＤＰＯＳ制御部２１０から情報管理装置３２０に出力される景品持参客４００と替場４０１との間の特殊景品Ｐの売買に関する集計情報の一例を示している。また、表３は、情報管理装置３２０において、各替場から出力された集計情報を集計した一例を示している。なお、ここでは、表中に記載された項目およびその算出方法について、上述した説明と重複する部分の説明は省略する。
【０１６３】
表２は、替場４０１で処理した景品持参客４００毎情報を、処理した順に時系列的に集計された結果を示したものである。ここでは、端数単位を１００円、手数料方式を外手数料、手数料に対する消費税率を０．７％、消費税方式を外税、消費税率を１５％に設定している。なお、ここで、景品総額とは、各特殊景品Ｐにおける基準買取価格に各特殊景品Ｐの数量を乗じて合計したものである。
【０１６４】
また、表３は、各替場から出力された表２に示されるような情報を情報管理装置３２０において、集計したものであり、この情報管理装置３２０において集計された情報は、各替場において、例えば、ＣＤＰＯＳ制御部２１０に接続された外部機器３３０で表示することができ、また、外部プリンタ３４０で印刷することができる。
【０１６５】
【表２】
2006312093.tif 000004
【０１６６】
【表３】
2006312093.tif 000005
【０１６７】
表２および３には、景品持参客４００と替場４０１との間の特殊景品Ｐの売買に関する、例えば、特殊景品Ｐに対応した基準買取価格、各特殊景品Ｐに対応して設定される、買取価格、買取手数料率、買取手数料率の方式（内手数料または外手数料）、買取手数料に対する消費税率、買取手数料に対する消費税率の方式（内税または外税）、買取消費税率、買取消費税率の方式（内税または外税）、端数単位、受付日時、替場を認識するための替場コード、替場の所在する県、市町村などの地域コード等が集計されている。
【０１６８】
さらに、上記した実買取価格を計算するための計算要素等およびソータ制御部１１１から出力された景品情報に基づいて算出された、支払金総額（実買取価格）、買取手数料総額、買取手数料に対する消費税総額、買取消費税総額、買い取られた各特殊景品Ｐ毎の景品合計額および数量、買い取られた特殊景品Ｐの景品総額、端数額等が集計されている。
【０１６９】
また、表４は、情報管理装置３２０において、各替場から出力された遊技ホール４０２または特殊景品問屋４５０との間の特殊景品Ｐの売買に関する集計情報を集計した一例を示している。
【０１７０】
【表４】
2006312093.tif 000006
【０１７１】
表４には、替場４０１と、遊技ホール４０２または特殊景品問屋４５０との間の特殊景品Ｐの売買に関する、例えば、各特殊景品Ｐに対応して設定される、転売価格、転売手数料率、転売手数料率の方式（内手数料または外手数料）、転売手数料に対する消費税率、転売手数料に対する消費税率の方式（内税または外税）、転売消費税率、転売消費税率の方式（内税または外税）等が集計されている。さらに、上記した実転売価格を計算するための計算要素等に基づいて算出された、転売金総額、転売手数料総額、転売手数料に対する消費税総額、転売消費税総額、転売された各特殊景品Ｐ毎の転売合計額および数量、転売された特殊景品Ｐの景品転売総額、納税消費税、利益、損益等が集計されている。
【０１７２】
なお、転売消費税総額、転売手数料総額、転売手数料に対する消費税総額、転売金総額は、上述した景品持参客４００と替場４０１との間の特殊景品Ｐの売買に関する買取消費税、買取手数料、買取手数料に対する消費税、支払金総額（実買取価格）の算出方法と同様な方法でそれぞれ算出された転売消費税、転売手数料、転売手数料に対する消費税、転売金総額を各替場毎に集計したものである。
【０１７３】
また、納税消費税（Ｌ１）は、次の式（１５）によって算出される。
Ｌ１  ＝  Ｍ１  +  Ｎ１  −  （Ｏ１  +  Ｑ１）  …式（１５）
ここで、Ｍ１は転売消費税総額、Ｎ１は転売手数料に対する消費税総額、Ｏ１は表３に示した買取消費税総額、Ｑ１は表３に示した買取手数料に対する消費税総額である。
【０１７４】
さらに、利益（Ｒ１）は、次の式（１６）によって算出される。
Ｒ１  ＝  Ｓ１  −  Ｔ１  −  Ｌ１  …式（１６）
ここで、Ｓ１は転売金総額、Ｔ１は表３に示した支払金総額（実買取価格）である。
【０１７５】
また、利益（Ｒ１）は、転売金総額（Ｓ１）、支払金総額（Ｔ１）、納税消費税（Ｌ１）に代えて、各計算要素を用いて計算するようにしてもよい。
【０１７６】
上記したように本発明の一実施の形態における物品買取装置、物品買取方法および物品買取システムによれば、基準買取価格の買取価格を任意に設定することができるので、例えば、その買取価格を消費税や手数料等を含んだ価格に設定することができる。
【０１７７】
また、その買取価格を任意に設定することができるので、例えば、税制や業界慣行の変革、各県の事情に適合させて買取価格等を設定することができる。また、特殊景品を受け入れてから、複数の実買取価格を計算するための計算要素により支払金総額（実買取価格）を算出し、その支払金総額（実買取価格）を表記することを自動的に行うことができるので、例えば、物品を買い取る替場において、人為的な作業を減らすことができ、替場における作業を効率よく迅速に行うことができる。
【０１７８】
また、実転売価格を計算するための計算要素として転売消費税、転売手数料、転売価格等を、例えば、実買取価格や実買取価格を計算するための計算要素と比較しながら任意に設定することができる。これによって、物品を買い取る替場では、例えば、替場と景品持参客との間、または、替場と遊技ホールとの間の特殊景品の売買に関する情報処理等を自動的に行うことができる。
【０１７９】
さらに、ソータ部によって読み取られた各景品情報、各計算要素の情報、ＣＤＰＯＳ部によって算出された支払金総額（実買取価格）、買取手数料総額、買取手数料に対する消費税総額、買取消費税総額、転売金総額、転売手数料総額、転売手数料に対する消費税総額、転売消費税総額等の情報、ＣＤＰＯＳ部によって支払われた金額の情報等を情報管理装置で管理し、それらの情報を情報管理装置によって集計することができる。また、例えば、物品を買い取る各替場における各情報を集計し、各替場毎の情報を一覧することができる。
【図面の簡単な説明】
【０１８０】
【図１】本発明の一実施形態における物品買取装置を備えた物品買取システムの概要を示す図。
【図２】替場における物品買取装置の設置状態の一例を示す図。
【図３】本発明の一実施形態における物品買取装置を示す斜視図。
【図４】物品買取装置を構成するソータ部の斜視図。
【図５】図４に示されたソータ部を図４に示した矢印方向から見たときの平面図。
【図６】物品買取装置を構成するＣＤＰＯＳ部の内部構造を示す斜視図。
【図７】外部表示機を示す斜視図。
【図８】景品持参客、替場、遊技ホール、情報管理センタ間における特殊景品の物流の概要の一例を示す図。
【図９】景品持参客、替場、遊技ホール、情報管理センタ、特殊景品問屋間における特殊景品の物流の概要の一例を示す図。
【図１０】ソータ部の構成の概要を示す図。
【図１１】ソータ部の動作を示すフローチャート。
【図１２】ＣＤＰＯＳ部の構成の概要を示す図。
【図１３】ＣＤＰＯＳ部の動作を示すフローチャート。
【図１４】ＣＤＰＯＳ部の動作を示すフローチャート。
【符号の説明】
【０１８１】
１０…物品買取装置、１００…ソータ部、１０１…受入部、１０２…搬送部、１０３…景品読取部、１０４…景品排出口、１０５…不良景品排出口、１０６…計数開始ボタン、１０７…表示部、１０８…電源スイッチ、１０９…操作ボタン、１１０…ガイド板、１１１…ソータ制御部、２００…ＣＤＰＯＳ部、２０１…紙幣払出口、２０２…コイン払出口、２０３…蓋部、２０３ａ、２０３ｂ…蓋体、２０８…テンキーボード、２０９…表示部、３００…ケーブル。
【図１】
2006312093.tif 000007
【図２】
2006312093.tif 000008
【図３】
2006312093.tif 000009
【図４】
2006312093.tif 000010
【図５】
2006312093.tif 000011
【図６】
2006312093.tif 000012
【図７】
2006312093.tif 000013
【図８】
2006312093.tif 000014
【図９】
2006312093.tif 000015
【図１０】
2006312093.tif 000016
【図１１】
2006312093.tif 000017
【図１２】
2006312093.tif 000018
【図１３】
2006312093.tif 000019
【図１４】
2006312093.tif 000020